(57)【特許請求の範囲】
【請求項１】
三次元構造物を外観する視点位置の候補を複数設定する視点候補設定手段と、
前記三次元構造物の第１の部位と第２の部位とを指定する指定手段と、
前記視点位置の候補の中から前記第１の部位を外観する視点位置と前記第２の部位を外観する視点位置の組み合わせについて、前記第１の部位を外観する視点位置から、前記第２の部位を外観する視点位置までの、視点位置の移動量が小さい視点位置の組み合わせを高く評価する評価手段と、
前記評価手段による評価結果が高い視点位置の組み合わせを選択する視点選択手段と、
前記視点選択手段が選択した視点位置の組み合わせに含まれる視点位置から外観した前記三次元構造物の画像を作成する表示制御手段と、
を備える表示制御装置。
【請求項２】
三次元構造物を外観する視点位置の候補を複数設定する視点候補設定手段と、
前記三次元構造物の第１の部位と第２の部位とを指定する指定手段と、
複数の視点位置の候補の中で、前記第１の部位の画像面積と前記第２の部位の画像面積との分散がより小さくなる視点位置をより高く評価する評価手段と、
前記評価手段による評価結果が高い視点位置の組み合わせを選択する視点選択手段と、
前記視点選択手段が選択した視点位置の組み合わせに含まれる視点位置から外観した前記三次元構造物の画像を作成する表示制御手段と、
を備える表示制御装置。
【請求項３】
建物を外観する視点位置の候補を複数設定する視点候補設定手段と、
前記建物の第１の工事部位と第２の工事部位とを指定する指定手段と、
前記視点位置の候補の中から前記第１の工事部位を外観する視点位置と前記第２の工事部位を外観する視点位置の組み合わせについて、前記第１の工事部位を外観する視点位置から、前記第２の工事部位を外観する視点位置までの、視点位置の移動量が小さい視点位置の組み合わせを高く評価する評価手段と、
前記評価手段による評価結果が高い視点位置の組み合わせを選択する視点選択手段と、
工事部位と該工事部位の工事時期とを含む工事履歴情報と、工事を行った建物の図面情報と、を対応付ける工事部位対応付け手段と、
前記視点選択手段が選択した視点位置の組み合わせに含まれる視点位置から外観した前記建物の画像と前記工事履歴情報とを対応づけた画像を作成する表示制御手段と、
を備える表示制御装置。
【請求項４】
建物を外観する視点位置の候補を複数設定する視点候補設定手段と、
前記建物の第１の工事部位と第２の工事部位とを指定する指定手段と、
複数の視点位置の候補の中で、前記第１の工事部位の画像面積と前記第２の工事部位の画像面積との分散がより小さくなる視点位置をより高く評価する評価手段と、
前記評価手段による評価結果が高い視点位置の組み合わせを選択する視点選択手段と、
工事部位と該工事部位の工事時期とを含む工事履歴情報と、工事を行った建物の図面情報と、を対応付ける工事部位対応付け手段と、
前記視点選択手段が選択した視点位置の組み合わせに含まれる視点位置から外観した前記建物の画像と前記工事履歴情報とを対応づけた画像を作成する表示制御手段と、
を備える表示制御装置。
【請求項５】
前記表示制御手段は、工事部位と対応する建物の図面部位の色を、前記工事時期ごとに変えた画像を作成する、
請求項３または４に記載の表示制御装置。
【請求項６】
前記表示制御手段は、それぞれの工事に対応する画像に、工事時期と工事名とを付加した画像を作成する、
請求項３から５の何れか１項に記載の表示制御装置。
【請求項７】
前記表示制御手段は、前記視点選択手段が選択した視点位置の組み合わせに含まれる視点位置から外観した前記建物の画像と前記工事履歴情報とを対応づけた画像の表示時間の合計が、指定された再生時間に収まるように、それぞれの画像の表示時間を制御する、
請求項３から６の何れか１項に記載の表示制御装置。
【請求項８】
構造物を外観する視点位置の候補を複数設定する視点候補設定工程と、
前記構造物の第１の部位と第２の部位とを指定する指定工程と、
前記視点位置の候補の中から前記第１の部位を外観する視点位置と前記第２の部位を外観する視点位置の組み合わせについて、前記第１の部位を外観する視点位置から、前記第２の部位を外観する視点位置までの、視点位置の移動量が小さい視点位置の組み合わせを高く評価する評価工程と、
前記評価工程による評価結果が高い視点位置の組み合わせを選択する視点選択工程と、
前記視点選択工程において選択した視点位置の組み合わせに含まれる視点位置から外観した前記構造物の画像を作成する表示制御工程と、
を含む表示制御方法。
【請求項９】
構造物を外観する視点位置の候補を複数設定する視点候補設定工程と、
前記構造物の第１の部位と第２の部位とを指定する指定工程と、
複数の視点位置の候補の中で、前記第１の部位の画像面積と前記第２の部位の画像面積との分散がより小さくなる視点位置をより高く評価する評価工程と、
前記評価工程による評価結果が高い視点位置の組み合わせを選択する視点選択工程と、
前記視点選択工程において選択した視点位置の組み合わせに含まれる視点位置から外観した前記構造物の画像を作成する表示制御工程と、
を含む表示制御方法。
【請求項１０】
コンピュータを、
構造物を外観する視点位置の候補を複数設定する視点候補設定手段、
前記構造物の第１の部位と第２の部位とを指定する指定手段、
前記視点位置の候補の中から前記第１の部位を外観する視点位置と前記第２の部位を外観する視点位置の組み合わせについて、前記第１の部位を外観する視点位置から、前記第２の部位を外観する視点位置までの、視点位置の移動量が小さい視点位置の組み合わせを高く評価する評価手段、
前記評価手段による評価結果が高い視点位置の組み合わせを選択する視点選択手段、
前記視点選択手段が選択した視点位置の組み合わせに含まれる視点位置から外観した前記構造物の画像を作成する表示制御手段、
として機能させるためのプログラム。
【請求項１１】
コンピュータを、
構造物を外観する視点位置の候補を複数設定する視点候補設定手段、
前記構造物の第１の部位と第２の部位とを指定する指定手段、
複数の視点位置の候補の中で、前記第１の部位の画像面積と前記第２の部位の画像面積との分散がより小さくなる視点位置をより高く評価する評価手段、
前記評価手段による評価結果が高い視点位置の組み合わせを選択する視点選択手段、
前記視点選択手段が選択した視点位置の組み合わせに含まれる視点位置から外観した前記構造物の画像を作成する表示制御手段、
として機能させるためのプログラム。
【発明の詳細な説明】
【技術分野】
【０００１】
本発明は、表示制御装置、表示制御方法、およびプログラムに関する。
【背景技術】
【０００２】
建物の外観図を工事工程ごとに表示する技術が知られている。例えば特許文献１は、工事日程と工事箇所とを対応させて表示するデータ参照システムを開示している。
【先行技術文献】
【特許文献】
【０００３】
【特許文献１】特開２００４−３０３７２号公報
【発明の概要】
【発明が解決しようとする課題】
【０００４】
建物のメンテナンス管理を行う場合、その建物の工事履歴を時系列で確認する場合がある。また、建物のメンテナンス状況を顧客に説明する場合にも、メンテナンスした工事部位を３Ｄ（Three Dimensional）画像で表示しながら時系列で説明する場合がある。特許文献１は、このような場合に使用する工事日程と工事箇所とを対応させてアニメーション表示する技術を開示している。
【０００５】
しかしながら、特許文献１が開示する技術を用いて工事部位を３Ｄ画像で見やすく表示するためには、どの角度から建物を外観した３Ｄ画像を作成するかを決める視点位置を、ユーザが試行錯誤しながら設定する必要があった。そのため、設定時間との関係で、最適な視点位置が設定されない場合もあり、見やすさが不十分となる可能性が高いという問題があった。
【０００６】
本発明は、以上のような課題を解決するためのものであり、三次元構造物をより外観しやすい視点位置を容易に設定し、その視点位置から三次元構造物を外観した３Ｄ画像を表示可能な表示制御装置、表示制御方法、およびプログラムを提供することを目的とする。
【課題を解決するための手段】
【０００７】
上記目的を達成するため、本発明の第１の観点に係る表示制御装置は、
三次元構造物を外観する視点位置の候補を複数設定する視点候補設定手段と、
前記三次元構造物の第１の部位と第２の部位とを指定する指定手段と、
前記視点位置の候補の中から前記第１の部位を外観する視点位置と前記第２の部位を外観する視点位置の組み合わせについて、前記第１の部位を外観する視点位置から、前記第２の部位を外観する視点位置までの、視点位置の移動量が小さい視点位置の組み合わせを高く評価する評価手段と、
前記評価手段による評価結果が高い視点位置の組み合わせを選択する視点選択手段と、
前記視点選択手段が選択した視点位置の組み合わせに含まれる視点位置から外観した前記三次元構造物の画像を作成する表示制御手段と、
を備えることを特徴とする。
【０００８】
上記目的を達成するため、本発明の第２の観点に係る表示制御装置は、
三次元構造物を外観する視点位置の候補を複数設定する視点候補設定手段と、
前記三次元構造物の第１の部位と第２の部位とを指定する指定手段と、
複数の視点位置の候補の中で、前記第１の部位の画像面積と前記第２の部位の画像面積との分散がより小さくなる視点位置をより高く評価する評価手段と、
前記評価手段による評価結果が高い視点位置の組み合わせを選択する視点選択手段と、
前記視点選択手段が選択した視点位置の組み合わせに含まれる視点位置から外観した前記三次元構造物の画像を作成する表示制御手段と、
を備えることを特徴とする。
【０００９】
上記目的を達成するため、本発明の第３の観点に係る表示制御装置は、
建物を外観する視点位置の候補を複数設定する視点候補設定手段と、
前記建物の第１の工事部位と第２の工事部位とを指定する指定手段と、
前記視点位置の候補の中から前記第１の工事部位を外観する視点位置と前記第２の工事部位を外観する視点位置の組み合わせについて、前記第１の工事部位を外観する視点位置から、前記第２の工事部位を外観する視点位置までの、視点位置の移動量が小さい視点位置の組み合わせを高く評価する評価手段と、
前記評価手段による評価結果が高い視点位置の組み合わせを選択する視点選択手段と、
工事部位と該工事部位の工事時期とを含む工事履歴情報と、工事を行った建物の図面情報と、を対応付ける工事部位対応付け手段と、
前記視点選択手段が選択した視点位置の組み合わせに含まれる視点位置から外観した前記建物の画像と前記工事履歴情報とを対応づけた画像を作成する表示制御手段と、
を備えることを特徴とする。
【００１０】
上記目的を達成するため、本発明の第４の観点に係る表示制御装置は、
建物を外観する視点位置の候補を複数設定する視点候補設定手段と、
前記建物の第１の工事部位と第２の工事部位とを指定する指定手段と、
複数の視点位置の候補の中で、前記第１の工事部位の画像面積と前記第２の工事部位の画像面積との分散がより小さくなる視点位置をより高く評価する評価手段と、
前記評価手段による評価結果が高い視点位置の組み合わせを選択する視点選択手段と、
工事部位と該工事部位の工事時期とを含む工事履歴情報と、工事を行った建物の図面情報と、を対応付ける工事部位対応付け手段と、
前記視点選択手段が選択した視点位置の組み合わせに含まれる視点位置から外観した前記建物の画像と前記工事履歴情報とを対応づけた画像を作成する表示制御手段と、
を備えることを特徴とする。
【００１１】
前記表示制御手段は、工事部位と対応する建物の図面部位の色を、前記工事時期ごとに変えた画像を作成してもよい。
【００１２】
前記表示制御手段は、それぞれの工事に対応する画像に、工事時期と工事名とを付加した画像を作成してもよい。
【００１３】
前記表示制御手段は、前記視点選択手段が選択した視点位置の組み合わせに含まれる視点位置から外観した前記建物の画像と前記工事履歴情報とを対応づけた画像の表示時間の合計が、指定された再生時間に収まるように、それぞれの画像の表示時間を制御してもよい。
【００１４】
上記目的を達成するため、本発明の第５の観点に係る表示制御方法は、
構造物を外観する視点位置の候補を複数設定する視点候補設定工程と、
前記構造物の第１の部位と第２の部位とを指定する指定工程と、
前記視点位置の候補の中から前記第１の部位を外観する視点位置と前記第２の部位を外観する視点位置の組み合わせについて、前記第１の部位を外観する視点位置から、前記第２の部位を外観する視点位置までの、視点位置の移動量が小さい視点位置の組み合わせを高く評価する評価工程と、
前記評価工程による評価結果が高い視点位置の組み合わせを選択する視点選択工程と、
前記視点選択工程において選択した視点位置の組み合わせに含まれる視点位置から外観した前記構造物の画像を作成する表示制御工程と、
を含む。
【００１５】
上記目的を達成するため、本発明の第６の観点に係る表示制御方法は、
構造物を外観する視点位置の候補を複数設定する視点候補設定工程と、
前記構造物の第１の部位と第２の部位とを指定する指定工程と、
複数の視点位置の候補の中で、前記第１の部位の画像面積と前記第２の部位の画像面積との分散がより小さくなる視点位置をより高く評価する評価工程と、
前記評価工程による評価結果が高い視点位置の組み合わせを選択する視点選択工程と、
前記視点選択工程において選択した視点位置の組み合わせに含まれる視点位置から外観した前記構造物の画像を作成する表示制御工程と、
を含む。
【００１６】
上記目的を達成するため、本発明の第７の観点に係るプログラムは、
コンピュータを、
構造物を外観する視点位置の候補を複数設定する視点候補設定手段、
前記構造物の第１の部位と第２の部位とを指定する指定手段、
前記視点位置の候補の中から前記第１の部位を外観する視点位置と前記第２の部位を外観する視点位置の組み合わせについて、前記第１の部位を外観する視点位置から、前記第２の部位を外観する視点位置までの、視点位置の移動量が小さい視点位置の組み合わせを高く評価する評価手段、
前記評価手段による評価結果が高い視点位置の組み合わせを選択する視点選択手段、
前記視点選択手段が選択した視点位置の組み合わせに含まれる視点位置から外観した前記構造物の画像を作成する表示制御手段、
として機能させる。
【００１７】
上記目的を達成するため、本発明の第８の観点に係るプログラムは、
コンピュータを、
構造物を外観する視点位置の候補を複数設定する視点候補設定手段、
前記構造物の第１の部位と第２の部位とを指定する指定手段、
複数の視点位置の候補の中で、前記第１の部位の画像面積と前記第２の部位の画像面積との分散がより小さくなる視点位置をより高く評価する評価手段、
前記評価手段による評価結果が高い視点位置の組み合わせを選択する視点選択手段、
前記視点選択手段が選択した視点位置の組み合わせに含まれる視点位置から外観した前記構造物の画像を作成する表示制御手段、
として機能させる。
【発明の効果】
【００１９】
本発明によれば、三次元構造物をより外観しやすい視点位置を容易に設定し、その視点位置から三次元構造物を外観した３Ｄ画像を表示することが出来る。
【図面の簡単な説明】
【００２０】
【図１】本発明の実施形態１に係る表示制御装置の物理構成を示す図である。
【図２】本発明の実施形態１に係る表示制御装置の機能構成を示す図である。
【図３】図面情報について説明するための図である。
【図４】工事履歴情報について説明するための図である。
【図５】図面情報と工事履歴情報との対応付けについて説明するための図である。
【図６】建物を外観する視点位置の候補の設定方法について説明するための図である。
【図７】視点位置の評価方法について説明するための図である。
【図８】視点位置の評価方法について説明するための図である。
【図９】工事履歴のアニメーション表示について説明するための図である。
【図１０】工事履歴画像の作成処理について説明するためのフローチャートである。
【図１１】視点評価の計算処理について説明するためのフローチャートである。
【図１２】実施形態２に係る表示制御装置における視点評価の計算処理について説明するためのフローチャートである。
【図１３】実施形態３に係る表示制御装置の画面の表示例について説明するための図である。
【発明を実施するための形態】
【００２１】
以下、本発明の実施形態に係る表示制御装置、表示制御方法、およびプログラムについて、図面を参照しながら説明する。なお、図中同一又は相当する部分には同一符号を付す。
【００２２】
（実施形態１）
本実施形態では、三次元構造物が建物であり、表示制御装置１００が建物のメンテナンス等の工事履歴をアニメーション表示する場合について説明する。実施形態１に係る表示制御装置１００は、物理的には、図１に示すように、制御部１と、記憶部２と、入出力部３と、バス４と、を備える。
【００２３】
制御部１は、ＲＯＭ（Read Only Memory）と、ＲＡＭ（Random Access Memory）と、ＣＰＵ（Central Processing Unit）と、を備える。ＲＯＭは、本実施形態に係る表示制御プログラム、及び、各種初期設定、ハードウェアの検査、プログラムのロード等を行うための初期プログラム等を記憶する。ＲＡＭは、ＣＰＵが実行する各種ソフトウェアプログラム、これらのソフトウェアプログラムの実行に必要なデータ等を一時的に記憶するワークエリアとして機能する。ＣＰＵは、各種ソフトウェアプログラムを実行し、様々な処理及び演算を実行する中央演算処理部である。
【００２４】
記憶部２は、ハードディスクドライブ、フラッシュメモリ等の不揮発性メモリを備える。記憶部２は、建物情報、工事履歴情報、建物を３Ｄ画像で表示するための画像処理プログラム等の各種のプログラムを記憶する。
【００２５】
入出力部３は、建物情報、工事履歴情報等を取得するためのＣＤ（Compact Disc）ドライブ、ＵＳＢ（Universal Serial Bus）インタフェース等を備える。また、入出力部３は、後述する重み係数を取得するキーボード又はキーパッド等の文字入力デバイスも備える。また、入出力部３は、表示制御部１９０が作成した画像信号を外部の表示装置２００に供給する。
【００２６】
バス４は、制御部１と、記憶部２と、入出力部３と、を接続する。
【００２７】
表示制御装置１００は、機能的には、図２に示すように、建物情報取得部１１０と、工事履歴情報取得部１２０と、工事情報記憶部１３０と、工事部位対応付け部１４０と、視点候補設定部１５０と、評価部１６０と、視点選択部１７０と、重み係数設定部１８０と、表示制御部１９０と、の機能を含む。また、表示制御部１９０は、再生時間マッピング部１９１の機能を含む。
【００２８】
建物情報取得部１１０は、入出力部３を介して工事履歴を表示する対象となる建物の図面情報を取得する。具体的には、建物情報取得部１１０は、図３に示すような建物の外観を３Ｄ表示可能な建物のＣＡＤデータ等の図面情報を取得する。
【００２９】
工事履歴情報取得部１２０は、入出力部３を介して工事履歴情報を取得する。具体的には、工事履歴情報取得部１２０は、図４に示すような建物をメンテナンスした工事時期と工事部位を示す工事名称とを取得する。また、工事履歴情報には、工事部位の積算情報が含まれる。積算情報とは、建築物の工事部位の寸法情報と、工事に必要な材料などのコスト情報などである。例えば、屋上部位の一部に対して防水工事をした場合は、工事履歴情報には、防水工事を行った範囲を特定する工事部位の情報が含まれる。バルコニー部位の補修工事を行った場合は、工事履歴情報には、補修工事を行ったバルコニー部位の範囲を特定する工事部位の情報が含まれる。
【００３０】
工事情報記憶部１３０は、建物情報取得部１１０と工事履歴情報取得部１２０が取得した情報を記憶する。工事情報記憶部１３０は、記憶部２の記憶領域に構築される。
【００３１】
工事部位対応付け部１４０は、工事部位を含む工事履歴情報と、工事を行った建物の図面情報と、を対応付ける。具体的には、工事部位対応付け部１４０は、図５に示すように、図４に示す項番１から項番３の工事部位と図３に示す図面情報とを対応付ける。より具体的には、工事部位対応付け部１４０は、図４の項番１の屋上防水工事部位と、図５の屋上部位３０１とを対応付ける。工事部位対応付け部１４０は、図４の項番２のバルコニー補修工事部位と、図５のバルコニー部位３０２（３０２ａ、３０２ｂ、３０２ｃ、３０２ｄ）と、を対応付ける。工事部位対応付け部１４０は、図４の項番３の周辺通路補修工事部位と、図５の周辺通路部位３０３とを対応付ける。
【００３２】
視点候補設定部１５０は、建物を外観する視点位置の候補を設定する。具体的には、視点候補設定部１５０は、対象となる建物を包含する半径の異なる複数の球面を設定し、その球面上に視点位置の候補を設定する。より具体的には、視点候補設定部１５０は、建物に外接する半径ｒ１の球面、半径ｒ１の１．５倍の半径の球面、半径ｒ１の２倍の半径の球面、半径ｒ１の３倍の半径の球面、と複数の球面を設定する。
【００３３】
本実施形態では、理解を容易にするために、視点候補設定部１５０が、建物に外接する球面の半径ｒ１の約１．５倍の半径の球面だけを設定する場合について説明する。視点候補設定部１５０は、図６に示すように、対象となる建物を包含する球面３１１を設定する。次に、視点候補設定部１５０は、球面３１１を地面の高さで切断した円周３１２、球面３１１を建物の中心の高さで切断した円周３１３、球面３１１を建物の中心から約３０°の角度をなす高さで切断した円周３１４、球面３１１を建物の中心から約６０°の角度をなす高さで切断した円周３１５、を設定する。次に、視点候補設定部１５０は、設定した各円周を８等分する位置に視点位置の候補を設定する。具体的には、視点候補設定部１５０は、円周３１２の円周上にＰ４１、Ｐ４２、Ｐ４３、Ｐ４４、Ｐ４５、Ｐ４６、Ｐ４７、Ｐ４８の８個の視点位置の候補を設定する。同様にして、円周３１３の円周上にＰ３１からＰ３８の８個の視点位置の候補を設定する。同様にして、円周３１４の円周上にＰ２１からＰ２８の８個の視点位置の候補を設定する。同様にして、円周３１５の円周上にＰ１１からＰ１８の８個の視点位置の候補を設定する。したがって、視点候補設定部１５０は、合計３２個の視点位置の候補を設定する。
【００３４】
図２に戻って、評価部１６０は、視点候補設定部１５０が設定した視点位置の候補から外観した建物の見やすさを視点位置の候補ごとに評価する。具体的には、評価部１６０は、複数の工事部位を工事履歴に基づいて連続的にアニメーション表示した場合における、それぞれの工事部位の見やすさと、それぞれの工事部位間の位置関係の見やすさと、を評価する。より具体的には、評価部１６０は、視点候補設定部１５０が設定した視点位置の候補から抽出した視点位置の組み合わせについて下記の基準に基づいて評価する。視点位置の組み合わせとは、図７に示す工事部位を外観する視点位置の組み合わせである。
【００３５】
（１）表示装置２００に表示された建物の画像面積に占める注目する工事部位の面積比率が高くなる視点位置を高く評価する。
（２）第１の工事部位（第１の注目する部位）を外観する画像を作成するために使用する視点位置から、第２の工事部位（第２の注目する部位）を外観する画像を作成するために使用する視点位置までの、視点位置の移動量が小さい視点位置を高く評価する。
（３）注目する工事部位が複数の部位で構成される場合、複数の部位の中の任意の部位の画像面積と他の任意の部位の画像面積との差が小さくなる視点位置を高く評価する。
なお、注目する工事部位とは、図４に示す工事履歴の各工事の対象となる工事部位である。
【００３６】
評価部１６０は、工事履歴の対象となる工事部位の見やすさを上記の基準に基づいて評価するために、式１を用いて評価する。Ｗａ，Ｗｓ，Ｗｅは重み係数である。この重み係数の設定により、どの評価パラメータを重要視したアニメーション表示にするかを決めることが出来る。なお、式１を用いた評価では、評価点Ｅが小さいほど良い評価となる。
【００３７】
Ｅ＝Ｗａ／Ａｒｅａ＋Ｗｓ＊Ｓｍｏｏｔｈｎｅｓｓ＋Ｗｅ＊Ｅｑｕｉｖａｌｅｎｃｅ        ・・・（式１）
【００３８】
式１のＡｒｅａは、画像に投影される工事部位の面積比率を示すパラメータである。画像に投影される工事部位の面積比率が高いほど見やすいので、面積比率が高いほどＷａ／Ａｒｅａの値が小さくなるように定める。例えば、画像面積に対する工事部位の面積比率が３０％である場合、Ａｒｅａ＝３０とし、画像面積に対する工事部位の面積比率が５０％である場合、Ａｒｅａ＝５０とする。
【００３９】
式１のＳｍｏｏｔｈｎｅｓｓは、前回の工事の工事部位（第１の注目する部位）を外観する視点位置Ｐｉから、今回の工事部位（第２の注目する部位）を外観する視点位置Ｐｊまでの視点位置の移動量（視点Ｐｉと視点Ｐｊの距離）を示すパラメータである。前回の工事部位を外観する視点位置Ｐｉと今回の工事部位を外観する視点位置Ｐｊとが近いほど画像間の位置関係は見やすくなるので、視点位置の移動量が小さいほどＷｓ＊Ｓｍｏｏｔｈｎｅｓｓの値が小さくなるように定める。例えば、図８において、Ｐ３１からＰ３５までの距離が２０ｍであった場合、Ｐ３１からＰ３５に視点位置を移動した場合、Ｓｍｏｏｔｈｎｅｓｓ＝２０とする。
【００４０】
式１のＥｑｕｉｖａｌｅｎｃｅは、注目する工事部位が複数の部位に分かれている場合に、それぞれの部位の画像面積の差を示すパラメータである。工事部位が複数の部位に分かれている場合、分かれた工事部位の画像面積の差が小さいほど工事部位を比較して見やすくなる。そこで、複数に分かれた部位の画像面積の差が小さいほどＷｅ＊Ｅｑｕｉｖａｌｅｎｃｅの値が小さくなるように定める。例えば、図４の項番２のバルコニー補修工事の場合、図５に示すように、バルコニー部位３０２は３０２ａ、３０２ｂ、３０２ｃ、３０２ｄの４つの部位に分かれている。この４つの部位の画像面積の差が小さくなる視点位置を高く評価する。
【００４１】
そのために、例えば、Ｅｑｕｉｖａｌｅｎｃｅを分散の式を用いて評価する。具体的な例で説明する。例えば、バルコニー部位３０２ａ、３０２ｂ、３０２ｃ、３０２ｄの部位の画像面積が、それぞれＳａ＝１０ｍ２、Ｓｂ＝１２ｍ２、Ｓｃ＝１４ｍ２、Ｓｄ＝１６ｍ２であったとする。この場合、４つの画像面積の平均は、１３ｍ２である。このとき、Ｅｑｕｉｖａｌｅｎｃｅの値は式２を用いて計算する。
Ｅｑｕｉｖａｌｅｎｃｅ＝｛（13-10）２＋（13-12）２＋（13-14）２＋（13-16）２｝／4  ・・・（式２）
【００４２】
次に、評価部１６０が行う視点位置の評価方法について、図７を参照しながら具体的に説明する。工事部位を１つの視点位置から見渡せる場合、視点候補設定部１５０が設定した視点位置の候補数をｎ、アニメーション表示する工事履歴の工事回数をｋとすると、ｋ回の工事の履歴を表示するための視点位置の組み合わせの数は、ｎのｋ乗（ｎｋ）だけ存在する。本実施形態では、図６を用いて説明したように、円周の数は４個であり、各円周上に設定した視点位置の候補数は８個であるので、視点候補設定部１５０は、３２個の視点位置の候補を設定する。また、図４の項番１から項番３の工事履歴をアニメーション表示する場合、ｋ＝３となる。したがって、視点位置の候補の組み合わせ数は、３２，７６８（＝３２３）通りとなる。評価部１６０は、図７に示すように、このｎｋ通りの視点位置の組み合わせについて、式１に基づいて評価点を計算する。
【００４３】
ところで、図８に示す例では、周辺通路部位３０３は、どの視点位置の候補から外観しても建物の陰になる部分が存在するため、１つの視点位置から周辺道路部位３０３の全てを外観することは出来ない。このような場合、評価部１６０は、工事部位を分割して、最初に選択した視点位置から外観できなかった残りの工事部位を外観できる視点位置を追加して評価する。例えば、評価部１６０は、周辺通路部位３０３を外観する視点位置として図８に示すＰ３５を最初に選択した場合、Ｐ３５の視点位置からは建物の陰になって見えない周辺道路部位３０３の残りの部分を外観できる、例えばＰ３２を追加して評価する。このように１つの工事部位を外観する視点位置として複数の視点位置を採用した場合、評価部１６０は、複数の視点位置の評価点の平均値を評価点として処理する。
【００４４】
図２に戻って、視点選択部１７０は、評価部１６０の評価結果に基づいて、建物を外観する視点位置の候補の中から、工事部位のそれぞれを外観しやすい視点位置を選択する。具体的には、視点選択部１７０は、図７に示す建物を外観する視点位置の組み合わせの中から、評価部１６０が計算した評価点の中で最も評価点が良い視点位置の組み合わせを、工事履歴をアニメーション表示するための視点位置の組み合わせとして選択する。
【００４５】
重み係数設定部１８０は、式１に使用する重み係数を評価部１６０に供給する。重み係数は、予め記憶部２に記憶しておく。また、ユーザが入出力部３から変更設定するようにしてもよい。
【００４６】
表示制御部１９０は、画像処理プログラムを用いて、視点選択部１７０が選択した視点位置から外観した建物の３Ｄ画像を作成し、表示制御装置１００に接続された表示装置２００に作成した３Ｄ画像をアニメーション表示する。また、表示制御部１９０は、建物の３Ｄ画像を作成する際に、工事部位ごとに色を変えて作成する。また、表示制御部１９０は、建物の３Ｄ画像に加えて、工事時期と工事名称とを表示装置２００に表示する。
【００４７】
再生時間マッピング部１９１は、工事履歴のアニメーションを再生するユーザが指定した再生時間に合わせて、表示制御部１９０が作成した３Ｄ画像の表示時間を調整する。例えば、再生時間マッピング部１９１は、表示制御部１９０が図８に示すＰ３５、Ｐ３２、Ｐ２２、Ｐ１２の４つの視点位置から外観した４つの３Ｄ画像を作成し、ユーザからアニメーションの再生時間を４０秒に設定された場合、それぞれの３Ｄ画像の再生時間を例えば１０秒ずつに割り振る。そして、表示制御部１９０は、図９に示すように、それぞれの工事部位ごとに視点位置を変えた３Ｄ画像を１０秒ずつ表示するようにアニメーション表示する。その際に、表示制御部１９０は、注目している工事部位を識別しやすくするために、それぞれの工事部位の色を変えて表示する。
【００４８】
次に、以上のような構成を有する表示制御装置１００が実行する工事履歴画像の作成処理について、図１０と図１１に示すフローチャートを参照しながら説明する。本実施形態では、図４に示す項番１から項番３の３つの工事履歴をアニメーション表示する場合について説明する。建物のＣＡＤデータを含む図面情報と工事履歴情報とは、予め工事情報記憶部１３０に記憶されているものとする。ユーザが表示制御装置１００に予めインストールされた表示制御プログラムを起動することにより、図１０に示すフローチャートは開始する。
【００４９】
制御部１は、表示制御プログラムを起動すると、まず、工事情報記憶部１３０に記憶してある建物のＣＡＤデータを取得し、表示装置２００にその建物の３Ｄモデルを表示する（ステップＳ１１）。次に、制御部１は、工事情報記憶部１３０に記憶してある工事履歴情報を取得する（ステップＳ１２）。次に、工事部位対応付け部１４０は、図５を用いて説明したように、取得した工事履歴情報と図面情報との対応付けを行う（ステップＳ１３）。
【００５０】
工事履歴情報と建物情報との対応付けを終了すると、評価部１６０は、視点候補設定部１５０が設定した視点位置の候補の中から工事部位を外観しやすい視点位置の組み合わせを選択するために、視点位置の組み合わせに含まれる視点位置のそれぞれから工事部位を外観した見やすさを評価する。そのために、評価部１６０は、式１を用いて視点評価計算処理を行う（ステップＳ１４）。
【００５１】
視点評価計算処理について、図１１を参照しながら説明する。評価部１６０は、視点候補設定部１５０が設定した視点位置の候補の中から、３つの工事部位を外観するための３つの視点位置を任意に選択する（ステップＳ２１）。具体的には、評価部１６０は、図７に示す視点位置のすべての組み合わせ（３２３通り）の中から１つの組み合わせを抽出する。
【００５２】
任意の視点位置の組み合わせを抽出すると、評価部１６０は、それぞれの視点位置から外観できる工事部位を特定する（ステップＳ２２）。評価部１６０は、工事部位を特定する際に、単一の視点位置から工事部位の全てを外観できるか否かを判別する（ステップＳ２３）。例えば、図８に示す例では、屋上部位３０１については、Ｐ１１等の１つの視点位置から全ての屋上部位３０１を外観することができる。しかし、周辺通路部位３０３については、建物の影となるので１つの視点位置から周辺通路部位３０３の全てを外観することはできない。この場合（ステップＳ２３：Ｎｏ）、評価部１６０は、工事部位を分割して残りの工事部位を外観することができる視点位置を追加する（ステップＳ２４）。例えば、評価部１６０は、周辺通路部位３０３を外観する視点位置として最初にＰ３５を選択した場合、例えば建物の反対側から周辺通路部位３０３を外観する視点位置であるＰ３２を追加することにより、Ｐ３５から外観出来なかった周辺通路部位３０３の残りの工事部位を外観出来るようにする。
【００５３】
評価部１６０は、視点位置の組み合わせを抽出すると、式１を用いてその視点位置の組み合わせについて評価点の計算を行う（ステップＳ２５）。ステップＳ２４により視点位置を追加した場合は、評価部１６０は、追加した視点位置について計算した評価点の平均値をその視点位置の組み合わせの評価点とする。
【００５４】
次に、評価部１６０は、図７に示す視点位置の組み合わせの全てについて評価点の計算が終了しているか否かを判別する（ステップＳ２６）。すべての組み合わせについての評価計算が終了していない場合（ステップＳ２６：Ｎｏ）、評価部１６０は、視点位置の組み合わせを変更して（ステップＳ２７）、評価点の計算を行う。
【００５５】
すべての組み合わせについて評価計算が終了した場合（ステップＳ２６：Ｙｅｓ）、視点選択部１７０は、評価点が最も良い視点位置の組み合わせを工事履歴を表示する画像の視点位置の組み合わせとして選択し（ステップＳ２８）、表示制御装置１００の処理は図１０のステップＳ１５に遷移する。
【００５６】
図１０に戻って、表示制御部１９０は、視点選択部１７０が選択した視点位置の組み合わせに含まれる視点位置のそれぞれから工事部位を外観した３Ｄ画像を画像処理プログラムを用いて作成する（ステップＳ１５）。例えば、視点選択部１７０が、Ｐ３５、Ｐ３２、Ｐ２２、Ｐ１２の４つの視点位置の組み合わせを選択した場合、表示制御部１９０は、Ｐ３５、Ｐ３２、Ｐ２２、Ｐ１２から工事部位のそれぞれを外観する４つの３Ｄ画像を作成する。
【００５７】
表示制御部１９０が工事履歴を表示する３Ｄ画像の作成を完了すると、再生時間マッピング部１９１は、工事履歴のアニメーション表示がユーザの設定した再生時間に収まるように、それぞれの工事に対応する３Ｄ画像の表示時間を割り振るマッピング処理を行う（ステップＳ１６）。そして、表示制御部１９０は、再生時間に収まるように時間配分されたそれぞれの工事部位を外観する４つの３Ｄ画像を、図９に示すように表示装置２００にアニメーション表示する（ステップＳ１７）。以上で、工事履歴画像の作成処理の説明を終了する。
【００５８】
以上説明したように、実施形態１に係る表示制御装置１００は、対象とする建物を包含する半径の異なる複数の球面上に複数の視点位置の候補を設定し、式１に基づいて、視点位置の候補のそれぞれから工事部位を外観した見やすさを視点位置の組み合わせごとに評価する。そして、表示制御装置１００は、それぞれの工事部位を外観しやすい視点位置の組み合わせを選択して、選択した視点位置から工事部位を外観した３Ｄ画像を時系列的にアニメーション表示する。これにより、表示制御装置１００は、それぞれの工事部位を見やすく、また、工事部位間の位置関係をわかりやすいように、工事履歴を時系列でアニメーション表示することが出来る。つまり、表示制御装置１００が工事部位を外観しやすい視点位置を選択するので、工事部位を３Ｄ表示するための視点位置をユーザが試行錯誤しながら設定する必要がない。したがって、表示制御装置１００を用いることにより、工事履歴を直感的に把握しやすい効果的なプレゼンテーション用画像を容易に作成することができる。
【００５９】
なお、実施形態1の説明では、視点候補設定部１５０は、設定した球面を切断する4つの円周を設定し、その円周の各々に８個の視点位置の候補を設定した。しかし、視点候補設定部１５０は、もっと多くの円周を設定するようにしてもよい。また、円周は球面の任意の位置を切断するように設定してもよい。また、各々の円周に８個以上の視点位置の候補を設定するようにしてもよい。また、８個の視点位置の候補の数を減らしてもよい。また、アニメーション表示した画像の見やすさと処理時間とをグレード付けし、ユーザが指定した見やすさのグレードと処理時間のグレードとに基づいて、表示制御装置１００が、設定する球面の数、設定する円周の数、円周ごとに設定する視点位置の候補の数を決定するようにしてもよい。
【００６０】
また、上記の説明では、視点位置の候補を球面上に設定する説明をしたが、視点位置の設定位置は球面上に限定する必要はない。例えば、楕円体、立方体、直方体等の面上に設定するようにしてもよい。
【００６１】
また、上記の説明では、視点候補設定部１５０が予め設定した視点位置の候補から評価部１６０が視点位置を選択した。他の方法としては、選択した視点位置を微調整することもできる。具体的には、視点候補選択部１５０は、評価部１６０が選択した視点位置の周囲に第２の視点位置の候補を追加設定し、評価部１６０は、第２の視点位置の候補について式１を用いて評価を行う。そして、視点選択部１７０は、第２の視点位置の候補を含めて、最も評価の良い視点位置の組み合わせを選択する。これにより、視点位置の微調整ができ、さらに見やすい視点位置の組み合わせを選択することができる。また、最初から視点位置の候補数を多く設定するよりも計算処理量を少なくすることができる。
【００６２】
また、実施形態１の説明では、式１のＥｑｕｉｖａｌｅｎｃｅを分散の式を用いて評価する説明をした。しかし、Ｅｑｕｉｖａｌｅｎｃｅの評価はこれに限定する必要は無い。例えば、各部位の画像面積の中で最も大きい画像面積と最も小さい画像面積との比で評価を行ってもよい。この場合、この比が１に近いほど良い評価となる。
【００６３】
また、実施形態１の説明では、工事部位の見やすさを式１を用いて評価したが、他の評価式を用いて評価してもよい。例えば、式１の重み係数Ｗａ，Ｗｓ，Ｗｅの何れかの値を「０」としてもよい。また、他の評価パラメータを追加してもよい。
【００６４】
また、以上の説明では、評価点が最も良い視点位置の組み合わせを選択して、その視点位置から外観した３Ｄ画像をアニメーション表示する説明をした。しかし、本発明はこれに限定する必要は無く、１つの工事部位について異なる複数の視点位置から外観した複数の３Ｄ画像を表示するようにしてもよい。例えば、工事部位のそれぞれについて、評価点が良かった複数の視点位置から外観した複数の３Ｄ画像を表示するようにしてもよい。
【００６５】
また、以上の説明では、複数の注目する部位を連続してアニメーション表示する場合について説明したが、表示制御装置１００は、１つの注目する部位の画像を表示する場合にも適用できる。この場合、式１の重み係数Ｗｓを「０」に設定する。
【００６６】
また、以上の説明では、重み係数を固定した場合について説明したが、重み係数を変動させて工事履歴画像を作成することも出来る。例えば、重み係数Ｗａ，Ｗｓ，Ｗｅの値を複数設定したテーブルを予め記憶部２に記憶しておき、評価部１６０は、重み係数Ｗａ，Ｗｓ，Ｗｅの値の組み合わせごとに式１を用いて評価点を求める。そして、視点選択部１７０は、重み係数の組み合わせを変えて計算した視点位置の組み合わせの中から、最も評価点が良い視点位置の組み合わせを選択するようにしてもよい。
【００６７】
別の表示制御方法としては、重み係数Ｗａ，Ｗｓ，Ｗｅの値を複数設定したテーブルを予め記憶部２に記憶しておき、評価部１６０は、重み係数Ｗａ，Ｗｓ，Ｗｅの値の組み合わせごとに式１を用いて評価点を求める。そして、視点選択部１７０は、重み係数の組み合わせごとに評価点が最も良くなる視点位置の組み合わせを選択する。そして、表示制御部１９０は、重み係数の組み合わせごとに作成した工事履歴画像を順次表示装置２００に表示する。これにより、表示制御装置１００は、いろんな評価視点に基づいて工事履歴画像を表示することが出来る。
【００６８】
また、ある工事部位を外観する視点位置と次の工事部位を外観する視点位置とが離れている場合、２つの工事部位の位置関係を把握しにくいアニメーション表示となる場合がある。このような場合、表示制御部１９０は、２つの視点位置の途中に他の視点位置を追加して、追加した視点位置から外観した３Ｄ画像を追加してアニメーション表示をするようにしてもよい。例えば、周辺通路部位３０３を外観する視点位置として図８に示すＰ３５とＰ３２を選択した場合、表示制御部１９０は、Ｐ３５とＰ３２の間に位置するＰ３４、Ｐ３３の視点位置を追加し、追加した視点位置から外観する３Ｄ画像を追加してアニメーション表示を行うようにしてもよい。
【００６９】
（実施形態２）
実施形態１の説明では、図７を用いて説明したように、評価部１６０は、視点位置の候補の全ての組み合わせについて、式１を用いて評価計算を行った。しかし、視点位置の候補を増やすと評価する視点位置の候補の組み合わせ数は指数関数的に増加し、処理負荷が大きくなる。実施形態２では、この計算処理を軽減する技術について図１２に示すフローチャートを参照しながら説明する。
【００７０】
実施形態２に係る表示制御装置１００の構成は、実施形態１において説明した構成と同様である。実施形態１で図１０に示すフローチャートを用いて説明した工事履歴画像作成処理のフローチャートも同じである。しかし、図１１を用いて説明した視点評価計算処理のフローチャートの一部を変更する。実施形態２に係る視点評価計算処理について、図１２に示すフローチャートを参照しながら説明する。
【００７１】
実施形態２に係る視点評価計算処理では、ステップＳ２２の後に、工事部位を視認できない視点位置の候補を削除する工程を設ける(ステップＳ３０）。具体的には、視点候補設定部１５０は、屋上部位３０１を外観する視点位置の候補から、屋上の高さよりも低い視点位置を削除する。屋上の高さよりも低い視点位置からは屋上部位３０１を外観することができないからである。同様に、視点候補設定部１５０は、バルコニー部位３０２を外観できない視点位置を候補から削除し、周辺通路部位３０３を外観できない視点位置を候補から削除する。
【００７２】
より具体的には、図４の項番１の屋上防水工事においては、屋上部位３０１を外観することができる視点位置の候補がＰ１１からＰ１８の８個であった場合、項番１の視点位置の候補を３２個から８個に絞り込むことができ、計算処理量を２５％に削減できる。同様に、図４の項番２のバルコニー修復工事においては、バルコニー部位３０２を外観することができる視点位置の候補が、Ｐ２２、Ｐ２３、Ｐ２４、Ｐ３２、Ｐ３３、Ｐ３４、Ｐ４２、Ｐ４３、Ｐ４４の９個だけであった場合、項番２の視点位置の候補を３２個から９個に絞り込むことができ、計算処理量を３０％以下に削減することができる。同様に、図４の項番３の周辺通路修復工事においては、Ｐ１１からＰ１８の８か所の視点位置からは周辺通路部位３０３を外観することができないので、項番３の視点位置の候補を３２個から２４個に絞り込むことができ、計算処理量を７５％以下に低減することができる。合計では、８×９×２４＝１，７２８となり、計算量を６％（８×９×２４／３２３）以下に低減することができる。
【００７３】
なお、実施形態２の説明で、工事部位を視認できない視点位置を視点位置の候補から除外して処理負荷を軽減する方法について説明をしたが、視点位置の候補の数を削減する方法はこれに限定する必要は無い。例えば、
（１）表示装置２００に表示された建物の画像面積に占める注目する工事部位の面積比率が所定の閾値以下である視点位置を候補から除外するようにしてもよい。
（２）第１の工事部位を外観する画像を作成するために使用する視点位置から、第２の工事部位を外観する画像を作成するために使用する視点位置までの、視点位置の移動量が所定の閾値以上である視点位置を候補から除外するようにしてもよい。
（３）注目する工事部位が複数の部位で構成される場合、複数の部位の中の任意の部位の画像面積と他の任意の部位の画像面積との差が、所定の閾値以上となる視点位置を候補から除外するようにしてもよい。
【００７４】
また、上記の説明では、評価部１６０が全ての視点位置の候補の組み合わせについて式１に基づいて評価を行った後で、視点選択部１７０が最も良い視点位置の組み合わせを選択する説明を行った。他の方法としては、式１を用いて計算した評価点が任意に定めた閾値以下（良い評価）である視点位置の組み合わせを検出した場合、それ以後の評価を中止して、視点選択部１７０がその視点位置の組み合わせを選択するようにしてもよい。つまり、評価点が閾値以下の視点位置の候補の組み合わせを検出した場合、その他の視点位置の組み合わせについては評価を省略して処理負荷を軽くするようにしてもよい。
【００７５】
（実施形態３）
実施形態1で図９を用いて行った説明では、複数の工事部位をアニメーション表示する方法について説明した。実施形態３では、アニメーション表示する画面の表示例について図１３を用いて説明する。
【００７６】
表示制御部１９０は、図１３に示すように、図４に示す工事履歴の項番１から項番３の３つの工事履歴を工事時期の古い順に表示装置２００にアニメーション表示する。このとき、例えば、表示制御部１９０は、工事時期の新しい画像を工事時期の古い画像の上に重ねるように表示制御する。表示制御部１９０は、工事履歴のそれぞれに対応する画像の中央に、工事部位を色付けした建物の３Ｄ画像を表示する。また、表示制御部１９０は、工事履歴の表示画像の右側に工事履歴を表示し、表示している工事部位に対応する工事履歴の欄を枠で囲って表示する。また、表示制御部１９０は、工事履歴の表示画像の下側に工事時期を表示し、表示している工事部位に対応する工事時期を矢印で表示する。
【００７７】
なお、表示制御装置１００は、複数の工事部位をアニメーション表示せずに、それぞれの工事部位を単独に表示することも出来る。例えば、ユーザが画面右側の表示履歴の任意の項目を指定すると、表示制御部１９０が該当する工事部位を外観する３Ｄ画像を表示装置２００に表示するようにしてもよい。また、ユーザが画面下側の工事時期の任意の時期を指定すると、表示制御部１９０が該当する工事時期に行った工事の工事部位を外観する３Ｄ画像を表示装置２００に表示するようにしてもよい。
【００７８】
なお、実施形態１から３の説明では、表示制御装置１００が、複数の工事履歴をアニメーション表示する場合について説明した。しかし、本発明の範囲はこれに限定されるものはない。例えば、複数の工事履歴に代えて、建物の複数部位（玄関、東西南北の側面、屋根、ベランダ、庭等）を順に表示する場合にも適用できる。
【００７９】
また、以上の説明では、三次元構造物として建物を例に説明したが、本発明の適用は、三次元構造物を建物に限定する必要はない。例えば、三次元構造物を車や電車等の乗り物としてもよいし、服等の装飾品としてもよい。
【００８０】
また、本発明に係る機能を実現するための構成を予め備えた表示制御装置１００として提供できることはもとより、プログラムの適用により、既存のパーソナルコンピュータや情報端末機器等を、本発明に係る表示制御装置１００として機能させることもできる。すなわち、上記実施形態で例示した表示制御装置１００による各機能構成を実現させるためのプログラムを、既存のパーソナルコンピュータや情報端末機器等を制御するＣＰＵ等が実行できるように適用することで、本発明に係る表示制御装置１００として機能させることができる。また、本発明に係る表示制御方法は、表示制御装置１００を用いて実施できる。
【００８１】
また、このようなプログラムの適用方法は任意である。プログラムを、例えば、コンピュータが読取可能な記録媒体（ＣＤ−ＲＯＭ（Compact Disc Read-Only Memory）、ＤＶＤ（Digital Versatile Disc）、ＭＯ（Magneto Optical disc）等）に格納して適用できる他、インターネット等のネットワーク上のストレージにプログラムを格納しておき、これをダウンロードさせることにより適用することもできる。
【符号の説明】
【００８２】
１…制御部、２…記憶部、３…入出力部、４…バス、１００…表示制御装置、１１０…建物情報取得部、１２０…工事履歴情報取得部、１３０…工事情報記憶部、１４０…工事部位対応付け部、１５０…視点候補設定部、１６０…評価部、１７０…視点選択部、１８０…重み係数設定部、１９０…表示制御部、１９１…再生時間マッピング部、２００…表示装置、３０１…屋上部位、３０２、３０２ａ、３０２ｂ、３０２ｃ、３０２ｄ…バルコニー部位、３０３…周辺通路部位、３１１…球面、３１２，３１３，３１４，３１５…円周
【要約】
【課題】三次元構造物をより外観しやすい視点位置を容易に設定し、その視点位置から三次元構造物を外観した３Ｄ画像を表示する。
【解決手段】表示制御装置１００は、三次元構造物を外観する視点位置の候補を複数設定する視点候補設定部１５０を備える。また、表示制御装置１００は、視点候補設定部１５０が設定した視点位置の候補から外観した三次元構造物の見やすさを評価する評価部１６０を備える。また、表示制御装置１００は、評価部１６０の評価結果に基づいて、三次元構造物を外観する視点位置の候補の中から、三次元構造物を外観しやすい視点位置を選択する視点選択部１７０を備える。また、表示制御装置１００は、視点選択部１７０が選択した視点位置から外観した三次元構造物の画像を作成する表示制御部１９０を備える。
【選択図】図２【図１】
0005977880.tif 000002
【図２】
0005977880.tif 000003
【図３】
0005977880.tif 000004
【図４】
0005977880.tif 000005
【図５】
0005977880.tif 000006
【図６】
0005977880.tif 000007
【図７】
0005977880.tif 000008
【図８】
0005977880.tif 000009
【図９】
0005977880.tif 000010
【図１０】
0005977880.tif 000011
【図１１】
0005977880.tif 000012
【図１２】
0005977880.tif 000013
【図１３】
0005977880.tif 000014